(57)【要約】【課題】１枚以上の伸縮性編地が接合されて形成されたフットカバーの側面視を需要者（購入検討者）に美しく訴求することのできる販売用パッケージを提供する。【解決手段】販売用パッケージは、吊り下げ用口券１０と、足の側面形状を模した型板４００と、型板４００の爪先側において型板４００の表面から型板４００から離隔する方向に膨らんだ張り出し部５００とを含んで構成される。吊り下げ用口券１０は、所定の位置で所定の形状を備えたシートを折り返すと略Ｌ字形状の挿通孔を形成する略Ｌ字形状の穴を備えることにより四重以上に重ねられた挿通孔が形成され、その挿通孔を係止部材Ｂに係止する。張り出し部５００により、幅広に形成された爪先部の伸縮性編地が弛んでしわになってしまうことを防止して、側面視において美観を損ねてしまうことを防止する。【選択図】図７
0003223967.tif 000002
【実用新案登録請求の範囲】
【請求項１】
１枚以上の伸縮性編地が接合されて形成され、爪先と踵を含む足底とを被覆するとともに足甲および足首を露出するフットカバーに好適な販売用パッケージであって、
足の側面形状を模した型板と、
前記型板と一体または別体で形成され、前記型板の爪先側において前記型板の表面および裏面の少なくとも一方の面から前記型板から離隔する方向に膨らんだ張り出し部と、を含むことを特徴とする販売用パッケージ。
【請求項２】
前記型板と一体または別体で形成され、前記型板を係止部材に係止する係止部と、を含むことを特徴とする、請求項１に記載の販売用パッケージ。
【請求項３】
前記張り出し部は、前記型板から離隔する距離が、前記型板における踵から爪先へ行くにしたがって短くなる部分を含むように形成されていることを特徴とする、請求項１または請求項２に記載の販売用パッケージ。
【考案の詳細な説明】
【技術分野】
【０００１】
本考案は、着用するとパンプス（履き口である甲部分が大きく開いている主として婦人用の靴）等の靴の内側に隠れて見えなくなる（見えにくくなる場合を含む）フットカバーに好適な販売用パッケージに関し、特に、１枚以上の伸縮性編地が接合されて形成されたフットカバーの側面視を需要者（購入検討者）に美しく訴求することのできる販売用パッケージに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発された様々なフットカバーが販売されている。このような状況の下で、足型の平面形状を模した台紙（略足裏形状の台紙）にフットカバーを被せた販売用パッケージでは、フットカバーが爪先や踵や足甲をどの程度覆うのかが需要者には全くわからない。すなわち、素足で靴を履いているように見せるために靴の内側に隠れるようにデザインされたフットカバーは、靴の開口部（履き口、トップライン）のサイズに合わせて、適切な履き口の形状を有するフットカバーを選ぶことが好ましいにも関わらず、足型の平面形状を模した台紙を用いた販売用パッケージでは適切に選ぶことができない。
【０００４】
また、フットカバーの足底部とアッパー部（足底部以外の側辺部、踵部および爪先部）とで異なる伸縮性編地を採用した場合、足型の平面形状を模した台紙を用いた販売用パッケージではアッパー部の伸縮性編地しか見えないために（足底部は台紙で隠れているために）、足底部に特徴がある場合に適切に選ぶことができない。このような足底部に特徴があるフットカバーとして、たとえば、足裏の汗を吸湿して肌触りの良いフットカバー、足裏が滑ることを防止するフットカバー、または、足裏にクッション材を設けて足が疲れることを防止するフットカバー等々が挙げられる。
【０００５】
このような問題を解決するためには、足型の側面視を台紙とした販売用パッケージが好ましく、たとえば実用新案登録公報第３２０３９７７号公報（特許文献１）は、このようなフットカバーに適用できる包装資材を開示する。この特許文献１に開示された包装資材は、物品を吊下げて陳列するための陳列ピンに吊下げ可能な、靴下の包装資材であって、足の側面形状を有する型板と、前記靴下を装着した前記型板が、係止具により係止される背板と、を含み、前記陳列ピンに吊下げられた状態において前記靴下の踵部と爪先部とが略水平方向に並ぶことを特徴とする（請求項１、図１）。そして、靴下の例としてフットカバーが開示されている（第０００２段落）。また、足の側面形状を有する型板は、より具体的には、以下のように図３を参照して第００４７段落で説明されている。足形台紙３
０は、足の側面形状であり、装着された靴下１０の張力に抗って真直ぐであるのに十分な曲げ強度を備える。このため、装着された靴下１０を保形することができる。足形台紙３０の材料は、十分な曲げ強度を備えればよく、たとえば、厚紙、プラスチック、または樹脂を含浸した紙などでもよい。このように、この特許文献１に開示された型板は足の側面形状を有しており、靴の開口部（履き口、トップライン）のサイズに合わせて、適切な履き口の形状を有するフットカバーを選ぶことができる点で好ましい。
【先行技術文献】
【特許文献】
【０００６】
【特許文献１】実用新案登録第３２０３９７７号公報
【考案の概要】
【考案が解決しようとする課題】
【０００７】
しかしながら、特許文献１に開示された包装資材の足の側面形状を有する型板は単一な厚みの厚紙、プラスチック、または樹脂を含浸した紙であるために、１枚以上の伸縮性編地が接合されて形成され、爪先と踵を含む足底とを被覆するとともに足甲および足首を露出するフットカバーをこの単一な厚みの厚紙に被せると、そのフィット性を高めるために（さらに容易にずれたり脱げたりしないようにするために）幅広（足幅方向に広げていることを意味する）に形成された爪先部における伸縮性編地が弛んでしわになってしまい、美観を損ねてしまう。
【０００８】
本考案は、従来技術の上述の問題点に鑑みて開発されたものであり、その目的とするところは、１枚以上の伸縮性編地が接合されて形成されたフットカバーの側面視を需要者に美しく訴求することのできるフットカバーに好適な販売用パッケージを提供することである。
【課題を解決するための手段】
【０００９】
上記目的を達成するため、本考案に係るフットカバーに好適な販売用パッケージは以下の技術的手段を講じている。
すなわち、本考案に係るフットカバーに好適な販売用パッケージは、１枚以上の伸縮性編地が接合されて形成され、爪先と踵を含む足底とを被覆するとともに足甲および足首を露出するフットカバーに好適な販売用パッケージであって、足の側面形状を模した型板と、前記型板と一体または別体で形成され、前記型板の爪先側において前記型板の表面および裏面の少なくとも一方の面から前記型板から離隔する方向に膨らんだ張り出し部と、を含むことを特徴とする。
【００１０】
好ましくは、前記型板と一体または別体で形成され、前記型板を係止部材に係止する係止部と、を含むように構成することができる。
さらに好ましくは、前記張り出し部は、前記型板から離隔する距離が、前記型板における踵から爪先へ行くにしたがって短くなる部分を含むように形成されているように構成することができる。
【考案の効果】
【００１１】
本考案に係るフットカバーに好適な販売用パッケージによると、１枚以上の伸縮性編地が接合されて形成されたフットカバーの側面視を需要者に美しく訴求することができる。
【図面の簡単な説明】
【００１２】
【図１】本考案の実施の形態に係るフットカバーに好適な販売用パッケージを構成する吊り下げ用口券１０の全体を示す平面図であって、所定の位置で折り返す前の平面図である。
【図２】図１の吊り下げ用口券１０をフットカバーＦＣに適用する場合の手順を説明するための図（その１）である。
【図３】図１の吊り下げ用口券１０をフットカバーＦＣに適用する場合の手順を説明するための図（その２）である。
【図４】本考案の実施の形態に係るフットカバーに好適な販売用パッケージを構成する足の側面形状を模した型板と張り出し部とを説明するための平面図である。
【図５】図４に示した型板と張り出し部とを説明するための側面図および平面図である。
【図６】図４に示した型板と張り出し部とを説明するための斜視図である。
【図７】図１の吊り下げ用口券１０を使用して本考案の実施の形態に係るフットカバーに好適な販売用パッケージをフットカバーＦＣに適用した場合の商品陳列状態を説明するための斜視図である。
【図８】図１の吊り下げ用口券１０を使用しないで本考案の実施の形態に係るフットカバーに好適な販売用パッケージをフットカバーＦＣに適用した場合の商品陳列状態を説明するための斜視図である。
【考案を実施するための形態】
【００１３】
以下、本考案の実施の形態に係るフットカバーに好適な販売用パッケージ（以下において単に販売用パッケージと記載する場合がある）を、その内容を以下において説明している図１〜図８に基づいて詳しく説明する。
本実施の形態に係る販売用パッケージは、吊り下げ用口券１０と、足の側面形状を模した型板４００と、型板４００と一体または別体で形成され（ここでは別体）型板４００の爪先側において型板４００の表面および裏面の少なくとも一方の面から型板４００から離隔する方向に膨らんだ張り出し部５００または張り出し部５５０とを含んで構成されているが、吊り下げ用口券１０は任意構成であって、吊り下げ用口券１０を使用しない場合には型板と一体または別体で形成され、型板を係止部材Ｂに係止する係止部を含んで構成される。より詳しくは、この販売用パッケージは、吊り下げ用口券１０を使用しない場合には（詳しくは後述する）図８に示すように、型板４８０と一体で形成され、型板４８０を係止部材Ｂに係止する係止部４８２を含んで、または、型板４９０と別体で形成され、型板４９０を係止部材Ｂに係止する係止部４９２を含んで構成される。なお、型板４００、型板４８０および型板４９０は、いずれも足の側面形状を模した単一な厚みを備えた板状物（厚紙等の素材を足の側面形状に切り出した板状物）に過ぎない。
【００１４】
図１に本実施の形態に係る販売用パッケージを構成する吊り下げ用口券１０の全体を示す平面図であって所定の位置で折り返す前の平面図を、図２および図３に図１の吊り下げ用口券１０をフットカバーＦＣに適用する場合の手順を説明するための図を、それぞれ示す。図４に本実施の形態に係るフットカバーに好適な販売用パッケージを構成する足の側面形状を模した型板と張り出し部とを説明するための平面図を、図５に図４に示した型板と張り出し部とを説明するための側面図および平面図を、図６に図４に示した型板と張り出し部とを説明するための斜視図を、それぞれ示す。
【００１５】
図７および図８は本実施の形態に係る販売用パッケージをフットカバーＦＣに適用した場合の商品陳列状態を説明するための斜視図であって、図７は図１の吊り下げ用口券１０を使用した場合の斜視図を、図８は図１の吊り下げ用口券１０を使用しない場合の斜視図を、それぞれ示す。
これらの図１〜図８を参照して、本実施の形態に係る販売用パッケージを詳しく説明する前に、この販売用パッケージが好適に適用されるフットカバーＦＣについてまず説明する。以下においては、生地と編地とを区別しない場合がある。また、フットカバーの構造には様々なものがあり、本考案に係る販売用パッケージが好適に適用されるフットカバーは特定の構造に限定されるものではなく、どのようなフットカバーの構造であっても、フ
ットカバーを形成する生地の種類、生地の型板およびその生地の接合方法がどのようなものであっても基本的には構わない。そのため、以下に示すフットカバーの構造自体は単なる例示でしかない。
【００１６】
また、このフットカバーを形成する生地（伸縮性編地）は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でフットカバーに好ましい。
【００１７】
さらに、本実施の形態におけるフットカバーＦＣは、爪先と踵を含む足底とを被覆するとともに足甲および足首を露出するフットカバーであって、足底部、側辺部、踵部および爪先を覆う爪先部で形成される。また、限定されるものではないが、以下に示すフットカバーは左右共用であって、左右共用であるために左右を履き間違いすることがない点で好ましい。なお、フットカバーが左右共用でない場合には、左足用と右足用とは左右対称の形状を備える。
【００１８】
なお、本実施の形態に係るフットカバーは１以上の生地（爪先部を形成する生地、足底部を形成する生地ならびに側辺部および踵部を形成する生地の３つの生地であっても、または、足底部を形成する生地および足底部以外を形成する生地の２つの生地であっても、これら以外であっても１以上の生地であれば構わない）により構成されているが、これらの生地どうしの接合については限定されるものではない。たとえば、縫合により生地どうしを接合するものであっても構わないし、帯状部材の一面に接着剤が塗布された接着テープを用いて加熱することにより接着剤が溶融して生地を熱接着して生地どうしを接合するものであっても構わない。ここで、この接合には、熱圧着によるもの、熱溶着によるもの、熱融着によるもの等を含む。
【００１９】
このように１枚以上の伸縮性編地が接合されて形成され、爪先と踵を含む足底とを被覆するとともに足甲および足首を露出するフットカバーにおいては、そのフィット性を高めるために（さらに容易にずれたり脱げたりしないようにするために）爪先部が幅広に形成されており、これを単一の厚みを備えたに過ぎない型板であって足の側面形状を模した単なる型板に被せただけでは爪先部の伸縮性編地が弛んでしわになってしまい、美観を損ねてしまう。
【００２０】
続いて、このような単なる型板に被せただけでは爪先部の伸縮性編地が弛んでしわになってしまい美観を損ねてしまうフットカバーに好適な販売用パッケージについて図１〜図８を参照して詳しく説明する。
上述したように、この販売用パッケージは、吊り下げ用口券１０を任意構成とするが、この吊り下げ用口券１０についてまず説明する。ただし、この吊り下げ用口券１０だけでは、爪先部の伸縮性編地が弛んでしわになってしまい美観を損ねてしまうフットカバーに好適な販売用パッケージを形成できるものではない。なお、以下の説明においては、厚紙の素材からなる平面状のシートを所定の位置で折り返すことにより形成される吊り下げ用口券１０について説明するが、本考案における吊り下げ用口券の素材は厚紙に限定されるものではなく紙以外の素材を含み、プラスチック等の素材からなる平面状のシートを立体状に組み立てる吊り下げ用口券であっても構わない。また、このような吊り下げ用口券は、口券ではなく口紙と呼ばれる場合もある。
【００２１】
図１に示すこの吊り下げ用口券１０の全体を示す平面図であって所定の位置で折り返す前の平面図、図２および図３に示すこの吊り下げ用口券１０をフットカバーＦＣに適用する場合の手順を説明するための図、および、図７に示すこの吊り下げ用口券１０を使用して本考案に係る販売用パッケージをフットカバーＦＣに適用した場合の商品陳列状態を説明するための斜視図を参照して、この吊り下げ用口券１０について説明する。なお、図１および図２（Ａ）に示す一点鎖線は谷折り線を、（１箇所のみ存在する）２点鎖線は山折り線を、それぞれ示す。ここで、図２（Ａ）において矢示Ｒ（３）で折り返した後に、図２（Ｂ）において矢示Ｒ（５）で折り返す場合には、図１および図２（Ａ）に示す２点鎖線も谷折り線となる。
【００２２】
この吊り下げ用口券１０は、図１に示すように平面状のシートで形成されるとともに、図２および図３に示す手順でこのシートが所定の位置で折り返されて、図７に示すように係止棒Ｂに吊り下げ可能な略矩形状になる。そして、この吊り下げ用口券１０は、大略的には、このシートを所定の位置で折り返すことによりフットカバーＦＣを挟持する第一挟持片１００、第二挟持片２００および第三挟持片３００と、このシートを所定の位置で折り返すことにより略矩形状における少なくとも一辺に係止棒Ｂが挿通される挿通孔（ここでは縦吊り用挿通孔）を形成する係止片（第一係止片１１０および第二係止片２１０）とを含む。なお、係止棒Ｂが挿通される挿通孔は少なくとも１つ存在すればよく、その個数は限定されるものではない。また、図１における紙面縦方向の寸法については、限定されるものではないが、第二挟持片２００が最も長く、第一挟持片１００が第二挟持片２００よりも短く第一挟持片１００を第二挟持片２００側へ折り返すと第二挟持片２００に上半分が重なり、第三挟持片３００は第一挟持片１００と第二挟持片２００との重なり部分に重ならない上下方向長さを備え、第二挟持片２００側へ重ねられた第一挟持片１００の上と第三挟持片３００の下との間にフットカバーＦＣが挟み込まれてフットカバーＦＣが見えている。すなわち、図７に示すように、紙面の裏側から表側へフットカバーＦＣを押し付けるように第二挟持片２００側へ折り返された第一挟持片１００と、紙面の表側から裏側へフットカバーＦＣを押し付けるように第二挟持片２００側へ折り返された第三挟持片３００とに、挟み込まれてフットカバーＦＣがこの吊り下げ用口券１０に挟み込まれて、ピン穴３６１等にナイロンピンが撃ち込まれて固定されている。
【００２３】
そして、特徴的であるのは、これらの挟持片（第一挟持片１００および第二挟持片２００）は、このシートを所定の位置で折り返すと略Ｌ字形状の挿通孔（ここでは縦吊り用挿通孔であるが以下において単に挿通孔と記載する場合がある）を形成する略Ｌ字形状の穴を備える。このシートを所定の位置で折り返すことにより、これらの係止片に設けられた穴と挟持片に設けられた穴とが重なり合って、四重以上に重ねられたシートにより挿通孔が形成される。
【００２４】
このような特徴を備えたこの吊り下げ用口券１０についてさらに詳しく説明する。
図１〜図３および図７に示すように、フットカバーＦＣは、第一挟持片１００、第二挟持片２００および第三挟持片３００により挟み込まれている。なお、第三挟持片３００は、第一片３１０、第二片３２０および第三片３３０から構成されている。
挿通孔を形成するために、第一挟持片１００から延設して第一係止片１１０が設けられ、第二挟持片２００から延設して第二係止片２１０が設けられている。これらの第一係止片１１０および第二係止片２１０には、このシートを所定の位置で折り返すと略Ｌ字形状の挿通孔を形成する略Ｌ字状の穴（以下においては穴という記載は（ピン穴を除いて）略Ｌ字状の穴を示す）が設けられている。
【００２５】
より詳しくは、第一係止片１１０には穴１１２が、第二係止片２１０には穴２１２がそれぞれ設けられている。
さらに、この第一係止片１１０の穴１１２に対応するようにその形状および位置が決められた穴１０２が第一挟持片１００に、この第二係止片２１０の穴２１２に対応するようにその形状および位置が決められた穴２０２が第二挟持片２００に、それぞれ設けられている。
【００２６】
そして、図１および図２に示すように、第一係止片１１０を谷折り線１１１で第一挟持片１００側へ折り返して重ね合わせて（矢示Ｒ（１）方向へ折り返して）、穴１０２と穴１１２とが重なり合い、第二係止片２１０を谷折り線２１１で第二挟持片２００側へ折り返して重ね合わせて（矢示Ｒ（２）方向へ折り返して）、穴２０２と穴２１２とが重なり合い、第一挟持片１００を谷折り線１５１および谷折り線１５２で第二挟持片２００側へ折り返して重ね合わせて（矢示Ｒ（４）方向へ折り返して）、穴１０２と穴１１２と穴２０２と穴２１２とが重なり合い、シート４枚分の厚み（四重）で強固な強度を備えた挿通孔が形成される。
【００２７】
なお、第一挟持片１００と第二挟持片２００とは、シート４枚分の厚みに対応する間隙部１５０を備えている。この間隙部１５０を備えない場合には、シートがある程度厚いと挿通孔近傍に厚み４枚分の膨らみができてしまうために、間隙部１５０によりこのような膨らみができることを回避している。なお、これと同じく、または、これに代えて／加えて、第二挟持片２００と第三挟持片３００とは、シート４枚分の厚みまたは型板４００にフットカバーＦＣを加えた厚みに対応する小物間隙部２５０を備えている。
【００２８】
本実施の形態に係る吊り下げ用口券１０においては、シート４枚分（四重）に重ねられたシートにより挿通孔が形成されているが、本考案に係る吊り下げ用口券は四重に限定されるものではなく、シート４枚分（四重）以上に重ねられたシートにより強固な強度を備えた挿通孔がシートのみの素材により形成されていればよい。
このように挿通孔を形成するために係止片が折り返される途中において、または、係止片が折り返された後において、図１および図２（Ａ）に示すように第三挟持片３００の第二片３２０および第三片３３０を谷折り線３２１で第一片３１０側へ折り返して重ね合わせて（矢示Ｒ（３）方向へ折り返して、その後、図１および図２（Ｂ）に示すように第三挟持片３００の第三片３３０を谷折り線３２２で第一片３１０および第二片３２０側へ折り返して重ね合わせた（矢示Ｒ（５）方向へ折り返した）状態が図２（Ｃ）に示す状態である。
【００２９】
図３に示すように、左右ペアのフットカバーＦＣを、たとえば片方をもう片方の内に押し込んで、さらに型板４００を挿入する。この型板４００には、最後にナイロンピンＮＰが打ち込まれたときに障害とならないようにピン穴４６０を備える。このピン穴４６０の位置は、ナイロンピンＮＰが打ち込まれる位置にそれぞれ設けられた４つのピン穴（第二挟持片２００のピン穴２６０、第三挟持片３００の第一片３１０のピン穴３６１、第二片３２０のピン穴３６２および第三片３３０のピン穴３６３）の位置に対応している。なお、これらの５つのピン穴は図３（Ｆ）および図７に示す状態で位置が合致している。
【００３０】
図２（Ｃ）に示す状態のこの吊り下げ用口券１０に、図３（Ｅ）に示すように型板４００が挿入されたフットカバーＦＣを載置してから、第三挟持片３００（ここでは第一片３１０、第二片３２０および第三片３３０）を谷折り線２５１および谷折り線２５２で第二挟持片２００と既に重なり合っている第一挟持片１００側へ折り返して重ね合わせて（矢示Ｒ（６）方向へ折り返して）、第二挟持片２００側へ折り返された第一挟持片１００と第三挟持片３００との間にフットカバーＦＣを直接的に挟み込む。
【００３１】
これにより、シート４枚分の厚みで強固な強度を備えた挿通孔が形成される。なお、上述したように、第二挟持片２００と第三挟持片３００との間には、フットカバーＦＣおよ
び型板４００の厚みに対応する小物間隙部２５０を備えている。この小物間隙部２５０は、この販売用パッケージが適用されるフットカバーＦＣおよび型板４００の厚みにより適宜設定される。ここでは、シート４枚分の厚みと、型板４００にフットカバーＦＣを加えた厚みとが略同じであるために、小物間隙部２５０は間隙部１５０と略同じ長さを備えることになっている。
【００３２】
最後に、この吊り下げ用口券１０からフットカバーＦＣが容易に外れないように、第二挟持片２００のピン穴２６０、第三挟持片３００のピン穴３６１、ピン穴３６２およびピン穴３６３、ならびに型板４００のピン穴４６０を貫通するようにフットカバーＦＣにナイロンピンＮＰを打ち込む。
このようにして、フットカバーＦＣは吊り下げ用口券１０に挟持されて、容易に外れないようにナイロンピンＮＰで止められる。このような吊り下げ用口券１０およびフットカバーＦＣは、陳列用ディスプレイに取り付けた係止棒Ｂが挿通孔に挿通されて展示販売される。この場合において、図７に示すように、挿通孔に係止棒Ｂが挿通されて展示販売される。
【００３３】
このように略Ｌ字形状の挿通孔であるので係止棒Ｂの奥にあるフットカバーＦＣを取り出す場合であっても、引張り荷重を与えて口券の一部を破る必要もなく、上述したように係止棒Ｂの径に左右されることなく、強固な強度を備えた挿通孔であるので、係止棒Ｂの径によらず係止棒Ｂを係止させても挿通孔が破損することを抑制できる。
上述したように、図３（Ａ）に示す（張り出し部５００を備えない）型板４００にフットカバーＦＣを被せただけでは、フットカバーＦＣのフィット性を高めるために（さらに容易にずれたり脱げたりしないようにするために）幅広に形成された爪先部の伸縮性編地が弛んでしわになってしまい、販売時に美観を損ねてしまう。これを防止するために、本考案に係る販売用パッケージにおいては、以下の技術的特徴を備える。
【００３４】
上述したように、本考案に係る販売用パッケージは、１枚以上の伸縮性編地が接合されて形成され、爪先と踵を含む足底とを被覆するとともに足甲および足首を露出するフットカバーＦＣに好適に使用される。この販売用パッケージは、上述した吊り下げ用口券１０を任意構成として、足の側面形状を模した型板４００と、型板４００と一体または別体で形成され（ここでは別体）型板４００の爪先側において型板４００の表面および裏面の少なくとも一方の面から型板４００から離隔する方向に膨らんだ図６（Ａ）に示す張り出し部５００または図６（Ｂ）に示す張り出し部５５０とを含んで構成され（吊り下げ用口券１０を使用しない場合に）型板４００と一体または別体で形成され、型板４００を係止部材Ｂに係止する係止部を含んで構成される。この販売用パッケージにおいては、図８に示すように、型板４８０と一体で形成され、型板４８０を係止部材Ｂに係止する係止部４８２を含む、または、型板４９０と別体で形成され、型板４９０を係止部材Ｂに係止する係止部４９２を含むものとなる。
【００３５】
図６（Ａ）に示す張り出し部５００も図６（Ｂ）に示す張り出し部５５０も、型板と別体で形成されているが型板と一体に形成されていても構わない。そして、これらの張り出し部５００および張り出し部５５０は、図６に示すように、型板４００の爪先側において型板４００の表面および裏面の少なくとも一方の面（図６（Ａ）に示す張り出し部５００においては一方の面であって図６（Ｂ）に示す張り出し部５５０においては両方の面）から型板から離隔する方向に膨らんだ形状を備える。これらの張り出し部５００および張り出し部５５０は、足の形状に沿わせるために、型板４００から離隔する距離が、型板４００における踵から爪先へ行くにしたがって短くなる部分を含むように形成することも好ましい。より詳しくは、図６において、Ｗ（３）＜Ｗ（２）＜Ｗ（１）で示される部分である。このような張り出し部５００または張り出し部５５０を備えると、フットカバーＦＣのフィット性を高めるために（さらに容易にずれたり脱げたりしないようにするために）
幅広に形成された爪先部の伸縮性編地が弛んでしわになってしまうことを防止して、美観を損ねてしまうことを防止することができる。
【００３６】
さらに、図６に図４および図５を加えて、この張り出し部５００について詳しく説明する。なお、張り出し部５５０は、型板４００と同程度の厚みの厚紙等を図６（Ｂ）に示す形状に切り出して、切欠き部５５２を型板４００の爪先側へ差し込んだものであって、上述した型板４００から離隔する距離が、型板４００における踵から爪先へ行くにしたがって短くなる部分（Ｗ（３）＜Ｗ（２）＜Ｗ（１））を含む点、および、型紙４００と別体で構成される点、において張り出し部５００と同じであって、張り出し部５００よりも簡単な構成である点が好ましい。構成が簡単であるために、張り出し部５５０についてのこれ以上の詳細な説明は記載しない。
【００３７】
図４、図５および図６（Ａ）に示すように、張り出し部５００は、型板４００と同程度の厚みの厚紙等を図４（Ｃ）に示す上片５１０、下片５２０および中片５３０を備えた形状に切り出す。ここで、上片５１０および下片５２０には互いに噛み合う切欠き部５１２および切欠き部５２２を備える。
上片５１０を谷折り線５１４で中片５３０側へ折り返して重ね合わせて（矢示Ｒ（１１）方向へ折り返して）、下片５２０を谷折り線５２４で中片５３０側へ折り返して重ね合わせて（矢示Ｒ（１２）方向へ折り返して）、上片５１０の切欠き部５１２と下片５２０の切欠き部５２２とを互いに噛み合わせる。この後に、中片を、谷折り線５３８、谷折り線５４０および谷折り線５４２で折って（谷折り線５３８および谷折り線５４０を矢示Ｒ（１３）方向へ折るものであって折り返されるものではなく、谷折り線５４２も膨らんだ張り出しが形成されるように折るものであって折り返されるものではない）、中片５３０の張り出し片５３２および張り出し片５３４と張り出し片５３６とにより、この張り出し部５００が、図６（Ａ）に示すように、型板４００の爪先側において型板４００の表面および裏面のいずれか一方の面から型板４００から離隔する方向に膨らんだ形状を備えることができる。そして、図６（Ａ）にＷ（３）＜Ｗ（２）＜Ｗ（１）で示すように、この張り出し部５００は、型板４００から離隔する距離が、型板４００における踵から爪先へ行くにしたがって短くなる部分を含むように形成することができる。
【００３８】
このようにして別体で形成された張り出し部５００を、図４（Ｂ）に示すように紙面の表裏方向でひっくり返して、型板４００の爪先側へ被せる。この状態が図３（Ａ）に示す状態でもあるし、図５に示す状態でもある。ここで、図５（Ｂ）は図４（Ｂ）と同じく型板４００の爪先側へ張り出し部５００を被せた状態の平面図であって、図５（Ａ）はその側面図である。図５（Ａ）には、図６（Ａ）に示したＷ（３）＜Ｗ（２）＜Ｗ（１）と同じく、この張り出し部５００は、型板４００から離隔する距離が、型板４００における踵から爪先へ行くにしたがって短くなる部分を含むように形成することができる。
【００３９】
このような張り出し部５００または張り出し部５５０を備えるために、フットカバーＦＣのフィット性を高めるために（さらに容易にずれたり脱げたりしないようにするために）幅広に形成された爪先部の伸縮性編地が弛んでしわになってしまうことを防止して、美観を損ねてしまうことを防止することができる。このため、足型の平面形状を模した台紙（略足裏形状の台紙）にフットカバーを被せる販売用パッケージでは、フットカバーがパンプスからどの程度露出しないのか（露出してしまうのか）、フットカバーが爪先や踵や足甲をどの程度覆うのかが需要者にはわからないという問題点、さらには足型の平面形状を模した台紙を用いた販売用パッケージではアッパー部の伸縮性編地しか見えないために（足底部は台紙で隠れているために）足底部に特徴がある場合に適切に選ぶことができないという問題点を、足型の側面視を型紙として採用しつつ、かつ、幅広に形成された爪先部の伸縮性編地が弛んでしわになってしまうことを防止して、美観を損ねてしまうことを防止することができる。すなわち、素足で靴を履いているように見せるために靴の内側に
隠れるようにデザインされたフットカバー、足裏の汗を吸湿して肌触りの良いフットカバー、足裏が滑ることを防止するフットカバー、または、足裏にクッション材を設けて足が疲れることを防止するフットカバー等々の足底部に特徴があるフットカバーを足の側面視を型紙とした販売用パッケージにより適切に選んで購入することができるようになる。
【００４０】
以上のようにして、本実施の形態に係る販売用パッケージによると、１枚以上の伸縮性編地が接合されて形成されたフットカバーの側面視を需要者に美しく訴求することができるとともに、側面視に基づいて需要者が適切にフットカバーを選んで購入することができる。
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００４１】
本考案は、１枚以上の伸縮性編地が接合されて形成され、爪先と踵を含む足底とを被覆するとともに足甲および足首を露出するフットカバーの販売パッケージに好ましく、フットカバーのフィット性を高めるために（さらに容易にずれたり脱げたりしないようにするために）幅広に形成された爪先部の伸縮性編地が弛んでしわになってしまうことを防止して、美観を損ねてしまうことを防止することができる点で特に好ましい。
【符号の説明】
【００４２】
１０  吊り下げ用口券
１００  第一挟持片
１１０  第一係止片
１５０  間隙部
２００  第二挟持片
２１０  第二係止片
２５０  小物間隙部
２６０  ピン穴
３００  第三挟持片
３６１、３６２、３６３  ピン穴
４００  型板
４６０  ピン穴
ＦＣ  フットカバー
【図１】
0003223967.tif 000003
【図２】
0003223967.tif 000004
【図３】
0003223967.tif 000005
【図４】
0003223967.tif 000006
【図５】
0003223967.tif 000007
【図６】
0003223967.tif 000008
【図７】
0003223967.tif 000009
【図８】
0003223967.tif 000010